(57)【要約】【課題】印刷時に磁界幅切り替えローラの回転角度の誤差が蓄積されないようにし、端部温度を適正に制御する。【解決手段】電磁誘導加熱を発熱源として加熱され、その熱でトナーを記録媒体に融着する定着装置において、誘導加熱を行う磁界幅を回転により切り替える磁界幅切り替えローラ５５と、この磁界幅切り替えローラ５５を任意の角度に回転させるとともに、基準角度を検知して、制御部で印刷時に磁界幅切り替えローラ５５を基準角度まで回転してから任意の角度に回転させる制御を行う。【選択図】図２
2007148295.tif 000002
【特許請求の範囲】
【請求項１】
電磁誘導加熱を発熱源として加熱され、その熱でトナーを記録媒体に融着させる定着装置において、
誘導加熱を行う磁界幅を回転により切り替えるローラと、
該ローラを任意の角度に回転させる回転手段と、
前記ローラの基準角度を検知する検知手段と、
印刷時に前記ローラを基準角度まで回転させた後、任意の角度に回転させる制御手段と、
を備えていることを特徴とする定着装置。
【請求項２】
前記制御手段は、印刷する前記記録媒体ごとに、前記ローラを基準角度まで回転させた後、任意の角度に回転させることを特徴とする請求項１記載の定着装置。
【請求項３】
前記制御手段は、一定枚数の印刷が行われるごとに、前記ローラを基準角度まで回転させた後、任意の角度に回転させることを特徴とする請求項１記載の定着装置。
【請求項４】
前記枚数を設定する手段を備えていることを特徴とする請求項３記載の転写装置。
【請求項５】
前記制御手段は、前記ローラの回転の実行回数が一定数以上になった場合に、前記ローラを基準角度まで回転させた後、任意の角度に回転させることを特徴とする請求項１記載の定着装置。
【請求項６】
前記実行回数を任意に設定する手段を備えていることを特徴とする請求項５記載の転写装置。
【請求項７】
前記ローラは、前記電磁誘導加熱のためのコイル手段と相対する部分が印刷する前記記録媒体の幅によって磁界を通す部分が異なるように遮蔽部材で覆われ、回転によって前記磁界を通す部分の大きさを調整することを特徴とする請求項１ないし６のいずれか１項に記載の定着装置。
【請求項８】
請求項１ないし７のいずれか１項に記載の定着装置を備えていることを特徴とする画像形成装置。
【請求項９】
電磁誘導加熱を発熱源として加熱され、その熱でトナーを記録媒体に融着させる定着方法において、
印刷時に誘導加熱を行う磁界幅を回転により切り替えるローラを基準角度まで回転させ、
その後、前記ローラを任意の角度に回転させ、発熱量を制御することを特徴とする定着制御方法。
【請求項１０】
記録媒体毎、一定枚数の印刷が行われる毎、ローラの回転の実行回数が一定以上になる毎のいずれかの場合に前記発熱量の制御が実行されることを特徴とする請求項９記載の定着制御方法。
【発明の詳細な説明】
【技術分野】
【０００１】
本発明は、加熱源として誘導加熱手段を用いた定着装置、この定着装置を用いた画像形成装置、及び加熱源として誘導加熱手段を用いた定着制御方法に関する。
【背景技術】
【０００２】
複写機、プリンタ、ファクシミリ等の画像形成装置においては、像担特休である感光体ドラム等に形成したトナー画像を記録媒体である転写紙に転写し、その後、定券装置の加熱ローラと称される定着ローラにより加熱処理を施すことで転写紙のような記録媒体に画像を定着させている。定着装置は、ハロゲンヒータ等のヒータ方式や電磁誘導加熱方式などにより加熱される定着ローラと、この定着ローラに対向配置される加圧ローラを圧接してニップ部と呼ばれる相互圧接部を形成し、このニップ部にトナー像が転写された記録媒体を通して加熱するものである。ヒータ方式は定着ローラを必要な温度に到達するまでの時間が長く、ヒータ自体の損失も大きい。一方、電磁誘導加熱方式は、定着ローラを電磁誘導による渦電流によって瞬時に加熱することができ、立ち上がり時間を画期的に短くすることができるため、急速に実用化されている。
【０００３】
このような電磁誘導加熱定着装置において、定着用ローラは通紙方向と垂直に長さ方向の幅があるが、誘導加熱の発熱量は長さ方向には−定であるため、定着装置を通過する未定者画像を定着する転写紙の用紙寸法によっては、定着ローラの長さ方向に熱分布幅が変動する。たとえば小サイズ紙通紙時などでは、走者ローラの中央部の紙が通過する部分の熱だけが消費されて、定着ローラ端部の温度上昇が発生する。これを防ぐために、転写紙の幅等により、磁界の幅を変えることが、例えば特許文献１ないし３に提案されている。また、回転させることにより磁界の幅を変えることができるローラを用いて、誘導電流の発生する幅を変化させて、定着ローラの加熱幅を制御することが、特許文献４に提案されている。
【特許文献１】特開２００１−１１７４０１号公報
【特許文献２】特開２００２−３４１６９２号公報
【特許文献３】特開２００３−９８８６５号公報
【特許文献４】特開２００１−２９６７６５号公報
【発明の開示】
【発明が解決しようとする課題】
【０００４】
しかしながら、磁界幅を切り替えるローラの回転を繰り返すと回転角度の誤差が蓄積され、温度制御上無視できない角度となり、端部温度の制御が適正に行われなくなる場合がある。
【０００５】
本発明はこのような従来技術の実情に錐みてなされたもので、その目的は、印刷時に磁界幅切り替えローラの回転角度の誤差が蓄積されないようにし、端部温度を適正に制御することである。
【課題を解決するための手段】
【０００６】
前記目的を達成するため、第１の手段は、電磁誘導加熱を発熱源として加熱され、その熱でトナーを記録媒体に融着させる定着装置において、誘導加熱を行う磁界幅を回転により切り替えるローラと、該ローラを任意の角度に回転させる回転手段と、前記ローラの基準角度を検知する検知手段と、印刷時に前記ローラを基準角度まで回転させた後、任意の角度に回転させる制御手段とを備えていることを特徴とする。
【０００７】
第２の手段は、第１の手段において、前記制御手段が印刷する前記記録媒体ごとに、前記ローラを基準角度まで回転させた後、任意の角度に回転させることを特徴とする。
【０００８】
第３の手段は、第１の手段において、前記制御手段が一定枚数の印刷が行われるごとに、前記ローラを基準角度まで回転させた後、任意の角度に回転させることを特徴とする。
【０００９】
第４の手段は、第３の手段において、前記枚数を設定する手段を備えていることを特徴とする。
【００１０】
第５の手段は、第１の手段において、前記制御手段が前記ローラの回転の実行回数が一定数以上になった場合に、前記ローラを基準角度まで回転させた後、任意の角度に回転させることを特徴とする。
【００１１】
第６の手段は、第５の手段において、前記実行回数を任意に設定する手段を備えていることを特徴とする。
【００１２】
第７の手段は、第１ないし第６のいずれかの手段において、前記電磁誘導加熱のためのコイル手段と相対する部分が、印刷する前記記録媒体の幅によって前記ローラの磁界を通す部分が異なるように遮蔽部材で覆われ、回転によって前記磁界を通す部分の大きさを調整することを特徴とする。
【００１３】
第８の手段は、第１ないし第７のいずれかの手段に係る定着装置を画像形成装置が備えていることを特徴とする。
【００１４】
第９の手段は、電磁誘導加熱を発熱源として加熱され、その熱でトナーを記録媒体に融着させる定着方法において、印刷時に誘導加熱を行う磁界幅を回転により切り替えるローラを基準角度まで回転させ、その後、前記ローラを任意の角度に回転させ、発熱量を制御することを特徴とする。
【００１５】
第１０の手段は、第９の手段において、記録媒体毎、一定枚数の印刷が行われる毎、ローラの回転の実行回数が一定以上になる毎のいずれかの場合に前記発熱量の制御が実行されることを特徴とする。
【００１６】
後述の実施形態では、記録媒体は転写紙Ｐに、ローラは磁界幅切り替えローラ５５に、基準角度を検知する手段は基準角度検知センサ８１に、制御手段は制御部２０に、遮蔽部材は磁界遮蔽部材５６にそれぞれ対応している。
【発明の効果】
【００１７】
本発明によれば、印刷時に磁界幅切り替えローラを基準角度まで回転してから任意の角度に回転させて、一旦基準角度にしているので、磁界幅切り替えローラの回転角度誤差を解消し、正確に目標の角度に回転させることができ、端部温度を適正に制御することができる。
【発明を実施するための最良の形態】
【００１８】
以下、図に基づいて本発明を実施するための最良の形態について説明する。図１は本発明の実施形態に係る画像形成装置の一例を示す概略構成図である。本実施形態における画像形成装置は、複写機能とこれ以外の機能、例えばプリンタ機能やファクシミリ機能等を有する複合機の場合を例に取っている。この複合機は、操作部のアプリケーション切り替えキー（図示しない）により複写機能、プリンタ機能、ファクシミリ機能を順次に切り替えて選択することが可能である。複写機能の選択時には複写モードとなり、プリンタ機能の選択時にはプリントモードとなり、ファクシミリモードの選択時にはファクシミリモードとなる。
【００１９】
本画像形成装置はモノクロ画像形成用のもので、本体１００と、この本体１００の上部に設置された書き込みユニット１１８と、この書き込みユニット１１８上に設置された画像読み取り装置１０６と、更にその上に設置された自動原稿送り装置（以下、「ＡＤＦ」と称する）１０１とから基本的に構成されている。
【００２０】
複写モードでは、次のように動作する。ＡＤＦ１０１は、原稿台１０２に画像面が上になるように原稿束を載置し、操作部上のスタートキー（図示しない）が押下されると、原稿が１枚ずつ給紙され、給送ローラ１０３、給送ベルト１０４によって原稿台となるコンタクトガラス１０５上の所定の位置に給送される。ＡＤＦ１０１は１枚の原稿の給送完了毎に原稿枚数をカウントアップする。コンタクトガラス１０５上の原稿は、画像入力手段としての画像読み取り装置１０６によって画像情報が読み取られた後に、給送ベルト１０４、排送ローラ１０７によって排紙台１０８上に排出される。符号１０９は原稿セット検知器１０９である。
【００２１】
画像読み取り装置１０６は、コンタクトガラス１０５上の原稿を照射するランプ１２８で照射しながら副走査方向移動し、その反射光を画像データとして第１ミラー１２９、第２ミラー１３０、第３ミラー１３１によりレンズユニット１３２に導き、画像を縮小結像させて光電変換装置であるＣＣＤイメージセンサ１３３に入射させ、ＣＣＤイメージセンサ１３３で電気信号を変換する。
【００２２】
この画像読み取り装置１０６によって原稿から読み込まれた画像データは、図４に示す画像処理部３２を介して書き込み手段としての書き込みユニット１１８によって変調され、原稿画像に対応した光書き込みが行われる。そして、この光書き込みにより感光体ドラム１１７に静電潜像を形成する。書き込みユニット１１８は、ポリゴンミラーを偏向装置として使用したレーザ発光装置１３４、ｆθレンズ１３５、反射ミラー１３６等で構成されている。なお、露光光源としては半導体レーザとしているがこれに限ったものではなく、例えばＬＥＤアレイ等でも良い。
【００２３】
本体１００は、感光体ドラム１１７、現像装置１１９、定着装置１２１、排紙ユニット１２２、第１、第２及び第３給紙装置１１０，１１１，１１２、縦搬送ユニット１１６等から構成されている。感光体ドラム１１７は、図示しない帯電器により一様に帯電された後に書き込みユニット１１８からの光情報で露光されて静電潜像が形成される。この感光体ドラム１１７上の静電潜像は現像装置１１９により現像されてトナー像となる。
【００２４】
感光体ドラム１１７の下方には搬送ベルト１２０が配設されている。この搬送ベルト１２０は、記録媒体である転写紙の搬送手段及び転写手段を兼ねており、電源（図示しない）から転写バイアスが印加され、縦搬送ユニット１１６からの転写紙を感光体ドラム１１７と等速で搬送しながら、感光体ドラム１１７上のトナー像を転写紙に転写させる。転写紙上のトナー像は定着装置１２１により定着され、排紙ユニット１２２により排紙トレイ１２３に排出される。感光体ドラム１１７はトナー像転写後に図示しないクリーニング装置によりクリーニングされる。ここに、感光体ドラム１１７、帯電器、書き込みユニット１１８、現像装置１１９、転写手段は画像データにより画像を転写紙上に形成する画像形成手段を構成している。感光体ドラム１１７は、メインモータにより一定速度で回転駆動される。
【００２５】
排紙ユニット１２２には、両面搬送路が設けられている。すなわち、排紙ユニット１２２の途中から搬送ローラ対１２４により送り込まれる反転ユニット１２５と、反転ユニット１２５で反転した転写紙を再度縦搬送ユニット１１６側に搬送する画像形成側搬送路１２６と、反転した転写紙を再度排紙ユニット１２２側に戻す排紙搬送路１２７とが配置されている。この両面搬送路により転写紙の両面に画像を形成し、あるいは画像が形成された面を下にして排紙トレイ１２３に排紙することができる。
【００２６】
絵紙手段としての第１給紙装置１１０、第２給紙装置１１１、第３給紙装置１１２は、選択された時に各々第１トレイ１１３、第２トレイ１１４、第３トレイ１１５に積載された転写紙を給紙し、転写紙は縦搬送ユニット１１６によって感光体１１７に当接する位置まで搬送される。
【００２７】
なお、プリントモードでは、画像処理部３２からの画像データの代りに外部からの画像データが書き込みユニット１１８に入力されて、画像形成手段により転写紙上に画像が形成される。また、ファクシミリモードでは、上記画像読み取り装置１０６からの画像データが図示しないファクシミリ送受信部により相手に送信され、相手からの画像データがファクシミリ送受信部で受信されて画像処理部３２からの画像データの代りに書き込みユニット１１８に入力されることにより、画像形成手段により転写紙上に画像が形成される。
【００２８】
図２は定着装置１２１の主要構成を概略的に示す図、図３は磁界遮蔽部材５５を示す平面図である。定着装置１２１は、主として、表層が弾性体で構成された定着ローラ５１と、導電性の加熱ローラ５２と、定着ローラ５１と加熱ローラ５２との間に張設され表層に剥離層が形成された定着ベルト５３と、定着ベルト５３を介して定着ローラ５１に圧接し、その間に転写紙Ｐを通す加圧ローラ５４とで構成されている。
【００２９】
加熱ローラ５２内には、磁界幅切り替えローラ５５が加熱ローラ５２とは独立して回動可能に同軸上に挿入されている。この磁界幅切り替えローラ５５の外周面には、図３に示すような磁界遮蔽部材５６が設けられている。この磁界幅切り替えローラ５５はいわゆる内部コアの外周部に前記磁界遮蔽部材５６を設けたものである。この磁界遮蔽部材５５は、その一端部から他端部に沿って先細りとなる２つの磁界を通し難い素材で構成されている。加熱ローラ５２の近傍には、誘導コイル５７がコア５８とサイドコア５９によって保持されるようにして配置されている。コア５８内のセンタコア６０の近傍には過熱防止用のサーモスタット６１が設けられている。また一方のサイドコア５９の近傍に温度検出用のサーモパイルなどのサーミスタ６２が配設されている。従って、磁界幅切り替えローラ５５のみを回転させることにより、磁界遮蔽部材５６がコイル５７と対向する量を変化させることができ、結果として磁界を遮る量を制御することになる。磁界幅切り替えローラ５５の回転角度は、図示していないが、磁界幅切り替えローラ５５の回転軸にインバータなどの角度センサで基準角度検知センサを構成し、制御すればよい。
【００３０】
定着ベルト５３の周囲には、定着ベルト５３に離型剤を塗布するオイル塗布ローラ６３と、定着ベルト５３を介して定着ローラ５１の温度を検出するサーミスタ６４とが配設されている。オイル塗布ローラ６３にはこのローラを清掃するクリーニングローラ６５が設けられている。加圧ローラ５４は内部にハロゲンヒータなどで構成された加熱装置６６が設けられ、加圧ローラ５４の周囲には過熱防止用のサーモスタット６７及び温度検出用サーミスタ６８が配置されている。６９は転写紙Ｐの入口ガイド部材、７０は定着ローラ５１に張り付いた転写紙Ｐを剥がすための分離板である。
【００３１】
図４は画像形成装置の動作制御及び画像データの制御に関する部分のブロック図である。後述するフローチャートにより説明される本発明の動作は全てこのブロックにより実施される。
【００３２】
制御部２０は、ＣＰＵ２１と、このＣＰＵ２１を動作させるためのプログラムが格納されたＲＯＭ２２、プログラム用ワークＲＡＭ２３、制御やタイミングなどの調整値及び登録した複写モード設定を格納し、電源を切ってもデータを保持しておくことが可能な不揮発ＲＡＭ２４、デジタル複写機の各センサ３７の入力を元に、負荷３８などを制御するＩＯ制御部２５などにより構成されている。また、外部ホストと接続するためのネットワークコントロールユニット（ＮＣＵ）３９、公衆回線を介してファクシミリ機能を実現するためのファクシミリコントロールユニット（ＦＣＵ）４０を備えている。これら各部については公知の技術であり、本発明においては特色ある部分ではないので、詳細な説明は省略する。
【００３３】
一方、画像データについては、ＡＤＦ１０１により原稿がコンタクトガラス１０５上に供給されると、図１の画像読み取り装置１０６に対応する読み取り部３５により画像データが読み取られる。読み取られた画像データは操作部１０に設定されたモードに応じて画像処理部３２によりＭＴＦ補正、変倍処理、画質補正などの画像処理を行った後で、画像データ用ＲＡＭ３３及びＨＤＤ３４を制御するためのＨＤＤコントローラ３１を介してＨＤＤ３４に蓄えられる。ここで、画像データ用ＲＡＭ３３及びＨＤＤ３４の両方に画像を蓄積するのは、画像データ用ＲＡＭ３３はＡ４原稿にして５枚程度の容量しかないが、コピー開始時には原稿の枚数がまだわからないので、複数部のソートコピーを取る場合に原稿データが５枚を超えてしまう場合には、２部目以降のコピー動作を行う時にＨＤＤ３４から画像データを画像データ用ＲＡＭ３３にコピーしてコピー動作を行うことにより、ソート動作を実現するためである。また、用紙がジャムしてしまった場合のリカバリ動作にも使用される。そして、書き込み部３６により第１〜第３給紙装置１１０〜１１２から給紙された用紙のタイミングに応じて書き込みを行う。これら各部についても公知の技術であり、本発明の特色ある部分ではないので、詳細な説明は省略する。
【００３４】
図５は磁界幅切り替えローラ５５の角度調整を説明する機能ブロック図である。制御部１０は磁界幅切り替えローラ５５を図示しないパルスモータ等により回転させるとともに、基準角度検知センサ８１からの角度情報を受け取り、磁界幅切り替えローラ５５の角度を調整する。
【００３５】
以下、図５の機能ブロックに基づく磁界幅切り替えの操作を図６ないし図９により説明する。
【００３６】
図６は本発明の第１の実施形態に係る磁界幅切り替え操作を説明するフローチャートである。同図において、印刷が開始されたら、磁界幅切り替えローラ５５をパルスモータ等により回転させ、基準角度検知センサ８１により基準角度を検出した時点で、回転を停止させる（ステップＳ６０１）。次に、印刷する転写紙Ｐの幅から、加熱ローラ５２に発生させる磁界の幅を求め、求められた磁界幅となる磁界幅切り替えローラ５５の回転角度を算出し（ステップＳ６０２）、算出された目標角度まで磁界幅切り替えローラ５５を回転させる（ステップＳ６０３）。これにより転写紙Ｐの幅に応じた磁界幅すなわち加熱幅となるため、端部温度が適正になる。そして次の印刷かあるか否かをチェックし（ステップＳ６０４）、次の印刷がある場合にはステップＳ６０１に戻り、再び磁界幅切り替えローラ５５を基準角度まで回転させてから、算出した目標角度まで磁界幅切り替えローラ５５を回転させる。これにより常に基準角度からの回転が行われるため誤差が蓄積されることはない。
【００３７】
このように第１の実施形態では、印刷時に磁界幅切り替えローラを基準角度まで回転してから任意の角度に回転させているので、一旦基準角度にすることによって磁界幅切り替えローラの回転角度娯差を解消することができ、１枚の印刷が実行される毎に磁界幅切り替えローラの回転角度誤差を解消することが可能となる。したがって、正確に目標の角度に回転させることができ、端部温度を適正に制御することができる。
【００３８】
図７は本発明の第２の実施形態に係る磁界幅切り替え操作を説明するフローチャートである。上述した第１の実施の形態のように、印刷１枚ごとに基準角度まで回転させる制御を行うと、連続印刷時などの場合、１枚印刷される時間が磁界幅切り替えローラ５５を基準角度まで回転させる時間より短いときには、磁界幅切り替えローラ５５が基準角度まで回転している間に、転写紙Ｐが定着装置１２１を通過してしまう。さらに連続印刷であるため、次々と印刷されるたびに基準角度の検出を行っていては、基準角度に回転するだけしか実際には行われず、印刷している転写紙の幅に応じた適正な端部温度制御ができない。
【００３９】
そこで、この第２の実施形態では、印刷が開始されたら、磁界幅切り替えローラ５５をパルスモータ等により回転させ、基準角度検知センサ８１により基準角度を検出した時点で、回転を停止させる（ステップＳ７０１）。ここで印刷枚数を０枚と設定しておく（ステップＳ７０２）。次いで印刷枚数が予め設定したＭ枚以上か否かをチェックする（ステップＳ７０３）。Ｍ枚以下の場合は、印刷が実行されるときに印刷枚数をカウントアップし（ステップＳ７０４）、印刷する用紙の幅から、加熱ローラ５２に発生させる磁界の幅を求め、求められた磁界幅となる磁界幅切り替えローラ５５の回転角度を算出する（ステップＳ７０５）。そして、算出された目標角度まで磁界幅切り替えローラを回転させる（ステップＳ７０６）。これにより用紙の幅に応じた磁界幅すなわち加熱幅となるため、端部温度が適正になる。次いで、次の印刷があるか否かをチェックし（ステップＳ７０７）、さらに連続して印刷が実行される場合には、磁界切り替えローラ５５を基準角度に回転させるかどうかを判断する。
【００４０】
すなわち、印刷枚数がＭ枚、例えば１００枚を超えていたら、ステップＳ７０１に戻り、磁界幅切り替えローラ５５を基準角度まで回転させてから印刷枚数の設定を０にクリアし、算出した目標角度まで磁界幅切り替えローラ５５を回転させる。これにより、Ｍ枚ごとに回転角度の誤差が解消され、かつ１枚印刷される時間が磁界幅切り替えローラを基準角度まで回転させる時間より短いときでも、Ｍ枚ごとにしか基準角度への回転を行わないため、Ｍ枚の間は端部温度が適正に制御される。この場合、磁界切り替えローラを基準角度に回転させるかどうかの判断を行う印刷枚数Ｍを任意に設定できるようにすることもできる。この設定は、例えば操作部１０からの入力により行われる。
【００４１】
以上のように第２の実施形態においては、−定枚数の印刷が行われるごとに、磁界幅切り替えローラを基準角度まで回転してから任意の角度に回転させているので、基準角度に回転する時間が連続印刷における１枚の印刷時間より短い場合においても、基準角度に回転させて回転角度誤差を解消し、正確に目標の角度に回転させるための時間が確保でき、端部温度を適正に制御することができる。また、磁界幅切り替えローラを基準角度に回転させるための判断を行う印刷枚数を任意に設定でき、磁界幅切り替えローラ５５を基準角度に回転して誤差を解消するための判断印刷枚数を任意に変えられるので、定着装置の特性のバラツキ等を考慮して、判断印刷枚数を設定することにより、定着装置の特性のバラツキによらず端部温度を適正に制御することができる。
【００４２】
図８は本発明の第３の実施形態に係る磁界幅切り替え操作を説明するフローチャートである。この第３の実施形態では、印刷が開始されたら、磁界幅切り替えローラ５５をパルスモータ等により回転させ、基準角度検知センサ８１により基準角度を検出した時点で、回転を停止させる（ステップＳ８０１）。ここで回転実行回教を０回と設定し（ステップＳ８０２）、回転実行回数がＮ回以上か否かをチェックする（ステップＳ８０３）。次に、印刷する用紙の幅から、加熱ローラ５２に発生させる磁界の幅を求め、求められた磁界幅となる磁界幅切り替えローラの回転角度を算出する（ステップＳ８０４）。算出された目標角度まで磁界幅切り替えローラを回転させ（ステップＳ８０５）、回転実行回数をカウントアップする（ステップＳ８０６）。これにより用紙の幅に応じた磁界幅すなわち加熱幅となるため、端部温度が適正になる。次いで、印刷があるか否かをチェックし（ステップＳ８０７）、ない場合は印刷を終了する。
【００４３】
ステップＳ８０３において、回転実行回数がＮ回、例えば１００回を超えていたら、ステップＳ８０１に戻り、磁界幅切り替えローラ５５を基準角度まで回転させてから、ステップＳ８０２で回転実行回数の設定を０にクリアし、算出した目標角度まで磁界幅切り替えローラを回転させる。これにより、Ｎ回ごとに回転角度の誤差が解消され、かつ１枚印刷される時間が磁界幅切り替えローラ５５を基準角度まで回転させる時間より短いときでも、Ｎ回ごとにしか基準角度への回転を行わないため、回転実行回数Ｎ回の間は端部温度が適正に制御される。この実施形態においても、磁界切り替えローラ５５を基準角度に回転させるかどうかの判断を行う回転実行回数Ｎを任意に設定できるようにすることもできる。この設定には、前述の実施形態と同様に操作部１０が使用される。回転実行回数は、１回の回転で発生する誤差が回転実行回数分だけ蓄積したときに、端部温度制御に大きな影響を与えない程度の値に設定されるのが望ましい。
【００４４】
ステップＳ８０７で、さらに連続して印刷が実行される場合には、ステップＳ８０３に戻り、磁界切り替えローラ５５を基準角度に回転させるかどうかの判断を行う。
【００４５】
このように、第３の実施形態では、磁界幅切り替えローラの回転の実行回数が一定回数以上になった場合に、磁界幅切り替えローラを基準角度まで回転してから任意の角度に回転させているので、基準角度に回転する時間が連続印刷における１枚の印刷時間より短い場合においても、基準角度に回転させて回転角度誤差を解消し、正確に目標の角度に回転させるための時間が確保できるので、端部温度を適正に制御することができる。また、磁界幅切り替えローラ５５を基準角度に回転させるための判断を行う回転実行回数を任意に設定できるので、磁界幅切り替えローラ５５を基準角度に回転して誤差を解消するための判断回転実行回数を任意に変えられ、定着装置の特性のバラツキ等を考慮して、回転実行回数を設定することにより、定着装置の特性のバラツキによらず端部温度を適正に制御することができる。
【００４６】
図９は本発明の第４の実施形態に係る磁界幅切り替え操作を説明するフローチャートである。この第４の実施形態においては、磁界幅切り替えローラ５５を基準角度に回転させるかどうかの判断を、第２の実施形態のように印刷枚数によって判断するものと、第３の実施形態のように回転実行回数によって判断するものの、両方で行うようにしている。
【００４７】
すなわち、印刷が開始されたら、磁界幅切り替えローラ５５を回転させ、基準角度検知センサ８１により基準角度を検出した時点で、回転を停止させ（ステップＳ９０１）、回転実行回数を０回と設定し（ステップＳ９０２）、次いで印刷枚数を０枚と設定する（ステップＳ９０３）。その後、回転実行回数がＮ回以上か否かをチェックし（ステップＳ９０４）、Ｎ回以下の場合は印刷枚数が予め設定したＭ枚以上か否かをチェックする（ステップＳ９０５）。ステップＳ９０４で回転実行回数がＮ回以上の場合及びステップＳ９０５で印刷枚数がＭ枚以上の場合はいずれもステップＳ９０１に戻される。ステップＳ９０５において、印刷枚数がＭ枚以下の場合は印刷が実行されるときに印刷枚数をカウントアップしくステップＳ９０６）、印刷する用紙の幅から、過熱ローラ５２に発生させる磁界の幅を求め、求められた磁界幅となる磁界幅切り替えローラ５５の回転角度を算出する（ステップＳ９０７）。次に、算出された目標角度まで磁界幅切り替えローラを回転させ（ステップＳ９０８）、回転実行回数をカウントアップする（ステップＳ９０９）。そして印刷があるか否かをチェックしくステップＳ９１０）、ない場合は印刷を終了し、ある場合はステップ９０４に戻る。
【図面の簡単な説明】
【００４８】
【図１】本発明が適用される画像形成装置の一例を示す概略構成図である。
【図２】定着装置の主要構成を概略的に示す図である。
【図３】磁界幅切り替えローラの磁界遮蔽部材を示す平面図である。
【図４】画像形成装置の動作制御及び画像データの制御に関する部分のブロック図である。
【図５】磁界幅切り替えローラの角度調整を説明する機能ブロック図である。
【図６】本発明の第１の実施形態に係る磁界幅切り替え操作を説明するフローチャートである。
【図７】本発明の第２の実施形態に係る磁界幅切り替え操作を説明するフローチャートである。
【図８】本発明の第３の実施形態に係る磁界幅切り替え操作を説明するフローチャートである。
【図９】本発明の第４の実施形態に係る磁界幅切り替え操作を鋭明するフローチャートである。
【符号の説明】
【００４９】
２０  制御部
２１  ＣＰ  Ｕ
５１  定着ローラ
５２  加熱ローラ
５３  定着ベルト
５４  加圧ローラ
５５  磁界幅切り替えローラ
５６  磁界遮蔽部材
５７  誘導コイル
８１  基準角度検知センサ
１２１  定着装昔
Ｐ  転写紙
【図１】
2007148295.tif 000003
【図２】
2007148295.tif 000004
【図３】
2007148295.tif 000005
【図４】
2007148295.tif 000006
【図５】
2007148295.tif 000007
【図６】
2007148295.tif 000008
【図７】
2007148295.tif 000009
【図８】
2007148295.tif 000010
【図９】
2007148295.tif 000011